(57)【要約】      （修正有）【課題】ユーザの腕等に抱き込み可能な形状で構成され、表面の装飾性を向上させるとともに、肌触り感を向上させた抱き込み形状のぬいぐるみを提供する。【解決手段】送排気により膨張収縮可能な合成樹脂フィルムからなり、膨張時において抱き込み形状となるように折り曲げられた２本のアーム部分２２並びに面上に載置可能なレッグ部分２３とを有する空気ボール２１と、空気ボール２１の膨張時における形状に応じた内側構造が形成され、アーム部分２２に対して背面側に形成された開閉部を介して空気ボール２１を収納又は取り出し自在とし、使用時において空気ボール２１が収納されるぬいぐるみ本体とを備える。【選択図】図２
0003134481.tif 000002
【実用新案登録請求の範囲】
【請求項１】
送排気により膨張収縮可能な合成樹脂フィルムからなり、膨張時において抱き込み形状となるように折り曲げられた２本のアーム部分並びに面上に載置可能なレッグ部分とを有する空気ボールと、
上記空気ボールの膨張時における形状に応じた内側構造が形成され、上記アーム部分に対して背面側に形成された開閉部を介して上記空気ボールを収納又は取り出し自在とし、使用時において上記空気ボールが収納されるぬいぐるみ本体とを備えること
を特徴とする抱き込み形状のぬいぐるみ。
【考案の詳細な説明】
【技術分野】
【０００１】
本考案は、ユーザの腕や手首等に抱き込み可能な形状で構成される抱き込み形状のぬいぐるみに関するものである。
【背景技術】
【０００２】
従来から腕や手首等に抱き込ませるようにして装着し、持ち歩いて遊ぶ人形が知られている。
【０００３】
この抱き込み形状の人形は、送排気により膨張収縮可能な合成樹脂フィルム製で構成されるのが一般的であった。
【考案の開示】
【考案が解決しようとする課題】
【０００４】
上述の如き合成樹脂フィルム製の抱き込み形状の人形は、塗装等により表面にキャラクターのデザインを施すことは可能である。しかし、この塗装により描かれたデザインのキャラクターでは満足感を得ることができないユーザも多かった。また、合成樹脂フィルムを直接に腕や手首に装着するため、抱き込み形状の人形を長期間に亘って装着して持ち歩く際には、合成樹脂が常時皮膚に接触している状態を持続させなければならず、肌触り感を嫌悪するユーザも少なからず存在していた。
【０００５】
そこで、本考案は、上述した問題点に鑑みて案出されたものであり、その目的とするところは、ユーザの腕等に抱き込み可能な形状で構成され、表面の装飾性を向上させるとともに、肌触り感を向上させた抱き込み形状のぬいぐるみを提供することにある。
【課題を解決するための手段】
【０００６】
本考案を適用した抱き込み形状のぬいぐるみは、送排気により膨張収縮可能な合成樹脂フィルムからなり、膨張時において抱き込み形状となるように折り曲げられた２本のアーム部分並びに面上に載置可能なレッグ部分とを有する空気ボールと、上記空気ボールの膨張時における形状に応じた内側構造が形成され、上記アーム部分に対して背面側に形成された開閉部を介して上記空気ボールを収納又は取り出し自在とし、使用時において上記空気ボールが収納されるぬいぐるみ本体とを備えることを特徴とする。
【考案の効果】
【０００７】
上述した構成からなる本考案では、空気ボールをぬいぐるみ本体に収納する構成を採用することにより、ぬいぐるみによる表面の装飾性を向上させることができ、ユーザに対して満足感のあるものとすることが可能となる。
【０００８】
また本考案では、合成樹脂フィルムを直接に腕や手首に装着することなく、あくまでぬいぐるみ本体を介しての装着を実現することができる。その結果、合成樹脂が常時皮膚に接触することなく、ぬいぐるみによる肌触り感の向上を実現することができる。
【考案を実施するための最良の形態】
【０００９】
以下、本考案を実施するための最良の形態として、抱き込み形状のぬいぐるみについて、図面を参照しながら詳細に説明する。
【００１０】
図１は、本考案を適用した抱き込み形状のぬいぐるみ１の外観構成を示している。このぬいぐるみ１の外観は、ぬいぐるみ本体１１により構成される。
【００１１】
ぬいぐるみ本体１１は、人物や動物の形状をあしらったぬいぐるみで構成されている。このぬいぐるみ本体１１内には、図２に示すような空気ボール２１が収納される。
【００１２】
空気ボール２１は、送排気により膨張収縮可能な例えばＰＶＣ（ポリ塩化ビニル）等の合成樹脂フィルムからなり、膨張時において抱き込み形状となるように折り曲げられた２本のアーム部分２２並びに面上に載置可能なレッグ部分２３とを有する。また、この空気ボール２１には、内部に空気を送排気するための図示しない送排気栓が設けられている。ちなみに、この図２の状態は、空気ボール２１内に空気が送気されて空気で一杯に満たされた膨張した状態を示している。この膨張状態にある空気ボール２１から図示しない送排気栓を介して空気を排気することにより、空気ボール２１を収縮させることができる。
【００１３】
アーム部分２２は、膨張時において、ユーザの腕や手首等に抱き込み可能な程度の曲率をもって折り曲げられて構成されている。ちなみに、膨張時におけるアーム部分２２の曲率は、少なくともユーザの腕や手首のサイズよりもやや小径となるように調整されていることが望ましい。その理由としてアーム部分２２の曲率よりもやや太径の腕等にこれを装着したときに、かかるユーザの腕等を介してアーム部分２２が外側に開かせようとする力が作用することになる。その結果、このアーム部分２２から腕等に対して反作用の力が内側に作用することになり、換言すればアーム部分２２を内側に付勢させることが可能となる。アーム部分２２を内側に付勢させることにより、腕等への固定性を強化させることができ、安定した装着状態を維持することが可能となる。
【００１４】
ちなみに、このアーム部分２２は２本からなることを前提としているが、その長さや太さは、互いに異なるものであってもよいことは勿論である。
【００１５】
レッグ部分２３は、机や棚等の面上に載置可能となるような脚に対応するものが形成されていればよい。このレッグ部分２３が存在することにより、非装着時において机や棚等の面に載置しておくことができ、飾り物としての機能をも発揮させることが可能となる。
【００１６】
また、このような空気ボール２１を収納可能としているぬいぐるみ本体１１は、空気ボール２１の膨張時における形状に応じた内側構造が形成されている。即ち、空気ボール２１に空気が満たされて膨張状態となったときにおける、アーム部分２２やレッグ部分２３を始めとした各部位に相当する形状と、このぬいぐるみ本体１１の内側構造とが互いに嵌合するような構成とされている。
【００１７】
ぬいぐるみ本体１１において、図３に示すようにアーム部分２２に対応する箇所の背面側には開閉部２５が形成されている。この開閉部２５は、マジックテープ（登録商標）等の織性の面ファスナーを介して開閉可能な構成としている。あえてマジックテープ（登録商標）を採用した理由としては、ファスナー等の開閉自在な留め具は、開閉時において内部のアーム部分２２を巻き込んでしまうためである。また、この開閉部２５をあえてアーム部分２２に対応する箇所に対する背面側としたのは、仮にこの開閉部２５を前面側に設けた場合には、アーム部分２２の存在が邪魔になり、ぬいぐるみ本体１１に対する空気ボール２１の収納又は取り出し作業が困難となるからである。ちなみに、上述した空気ボール２１における図示しない送排気栓を背面に形成しておくことにより、この開閉部２５を開けて容易に空気を送気することが可能となる。
【００１８】
このように本考案では、空気ボール２１をぬいぐるみ本体１１に収納する構成を採用することにより、ぬいぐるみによる表面の装飾性を向上させることができ、ユーザに対して満足感のあるものとすることが可能となる。
【００１９】
また本考案では、合成樹脂フィルムを直接に腕や手首に装着することなく、あくまでぬいぐるみ本体１１を介しての装着を実現することができる。その結果、合成樹脂が常時皮膚に接触することなく、ぬいぐるみによる肌触り感の向上を実現することができる。
【図面の簡単な説明】
【００２０】
【図１】本考案を適用した抱き込み形状のぬいぐるみの外観構成を示す図である。
【図２】空気ボール内に空気が送気されて空気で一杯に満たされた膨張した状態を示す図である。
【図３】ぬいぐるみ本体の背面側に形成した開閉部を示す図である。
【符号の説明】
【００２１】
１  抱き込み形状のぬいぐるみ
１１  ぬいぐるみ本体
２１  空気ボール
２２  アーム部分
２３  レッグ部分
２５  開閉部
【図１】
0003134481.tif 000003
【図２】
0003134481.tif 000004
【図３】
0003134481.tif 000005